(57)【特許請求の範囲】
【請求項１】
携帯端末のディスプレイに表示される歩行ルートを立体的に描いた三次元画像であって、この三次元画像の歩行ルートをウォークスルーすることにより歩行ルート上の三次元画像を閲覧し得るとともに、歩行ルートの任意の各ポイントに情報を設定し得る三次元画像を簡易に作成する携帯端末での三次元簡易作成方法であって、
携帯端末のディスプレイ上に歩行ルートを設定するための縦横に広がって形成された複数の桝目を表示し、
複数の桝目上の最外側の任意の１つの桝目に歩行ルートのスタートポイントを携帯端末の入力手段で設定し、
複数の桝目上の最外側の前記スタートポイントの桝目以外の任意の１つの桝目に歩行ルートのエンドポイントを携帯端末の入力手段で設定し、
前記スタートポイントからエンドポイントに至る１つ１つの桝目を携帯端末の入力手段で指定することによりスタートポイントからエンドポイントに至る任意の歩行ルートを複数の桝目上に設定し、
前記歩行ルートを形成する両側面、下面、上面に対応する両側壁、通路、天井にそれぞれ設定するための画像を必要により取得し、各画像に画像識別情報を付与して画像蓄積手段に蓄積し、
スタートポイントからエンドポイントに至る歩行ルートの各桝目の両側壁、通路、天井のそれぞれに設定する各画像を選択し得るように各画像を各画像識別情報とともに前記画像蓄積手段から読み出して表示し、
この表示された各画像を歩行ルートの各桝目の両側壁、通路、天井のそれぞれに設定するように該当する画像識別情報で選択し、この選択した画像が歩行ルートのウォークスルー時に順次携帯端末のディスプレイに歩行ルートの立体画像として表示し得るように各画像の画像識別情報を歩行ルートの各桝目の両側壁、通路、天井のそれぞれに対応して設定画像蓄積手段に蓄積し、
歩行ルートの各桝目の両側壁、通路、天井のそれぞれに選択的に設定された画像のうちの任意の画像を指定し、この指定された画像に対して任意の情報を携帯端末の入力手段から入力し、この入力された情報を歩行ルートのウォークスルー時に該当する画像とともに携帯端末のディスプレイに表示し得るように各情報を各桝目の両側壁、通路、天井に対応して情報蓄積手段に蓄積すること
を特徴とする携帯端末での三次元簡易作成方法。
【請求項２】
前記任意の情報としてＵＲＬまたは電話番号を含む特定情報を携帯端末の入力手段から選択的に設定可能とし、この設定された特定情報が歩行ルートのウォークスルー時に該当する画像とともに表示された場合に該特定情報を携帯端末の入力手段から指定することにより該特定情報で指定される相手先に通信回線を介して接続されることを特徴とする請求項１記載の携帯端末での三次元簡易作成方法。
【請求項３】
前記任意の情報として質問情報および該質問情報に対する肯定情報および否定情報を含む問合せ情報を携帯端末の入力手段から選択的に設定可能とし、この設定された問合せ情報が歩行ルートのウォークスルー時に該当する画像とともに表示された場合に質問情報に対する回答として肯定情報または否定情報を携帯端末の入力手段から選択的に指定することにより、この選択的に指定された内容に応じて歩行ルート上の任意の桝目にジャンプすることを特徴とする請求項１記載の携帯端末での三次元簡易作成方法。
【請求項４】
歩行ルートの各桝目の両側壁、通路、天井のそれぞれに設定された任意の画像に対して貼り付けるための特殊画像を特殊画像識別情報とともに特殊画像蓄積手段に蓄積し、
歩行ルートの各桝目の両側壁、通路、天井のそれぞれに設定された任意の画像に貼り付けるための任意の特殊画像を選択し得るように各特殊画像を各特殊画像識別情報とともに前記特殊画像蓄積手段から読み出して携帯端末のディスプレイに表示し、
この表示された特殊画像を歩行ルートの各桝目の両側壁、通路、天井のそれぞれに選択的に設定するように該当する特殊画像識別情報で選択し、この選択した特殊画像が歩行ルートのウォークスルー時に携帯端末のディスプレイの歩行ルートの立体画像上に表示し得るように各特殊画像の特殊画像識別情報を歩行ルートの各桝目の両側壁、通路、天井のそれぞれに対応して特殊画像設定蓄積手段に蓄積すること
を特徴とする請求項１記載の携帯端末での三次元簡易作成方法。
【請求項５】
前記スタートポイントからエンドポイントに至る歩行ルートを含む前記複数の桝目を１組とし、複数の組を設け、この複数の組のうちの１つの組のスタートポイントを他の組のエンドポイントに連結するという連結処理を複数の組において繰り返すことにより複数の組を連結した歩行ルートを形成することを特徴とする請求項１記載の携帯端末での三次元簡易作成方法。
【請求項６】
携帯端末のディスプレイに表示される歩行ルートを立体的に描いた三次元画像であって、この三次元画像の歩行ルートをウォークスルーすることにより歩行ルート上の三次元画像を閲覧し得るとともに、歩行ルートの任意の各ポイントに情報を設定し得る三次元画像を簡易に作成する携帯端末での三次元簡易作成装置であって、
携帯端末のディスプレイ上に歩行ルートを設定するための縦横に広がって形成された複数の桝目を表示する桝目表示手段と、
複数の桝目上の最外側の任意の１つの桝目に歩行ルートのスタートポイントを携帯端末の入力手段で設定するスタートポイント設定手段と、
複数の桝目上の最外側の前記スタートポイントの桝目以外の任意の１つの桝目に歩行ルートのエンドポイントを携帯端末の入力手段で設定するエンドポイント設定手段と、
前記スタートポイントからエンドポイントに至る１つ１つの桝目を携帯端末の入力手段で指定することによりスタートポイントからエンドポイントに至る歩行ルートを複数の桝目上に設定する歩行ルート設定手段と、
前記歩行ルートを形成する両側面、下面、上面に対応する両側壁、通路、天井にそれぞれ設定するための画像を必要により取得し、各画像に画像識別情報を付与して蓄積する画像蓄積手段と、
スタートポイントからエンドポイントに至る歩行ルートの各桝目の両側壁、通路、天井のそれぞれに設定する各画像を選択し得るように各画像を各画像識別情報とともに前記画像蓄積手段から読み出して表示する画像選択表示手段と、
この表示された各画像を歩行ルートの各桝目の両側壁、通路、天井のそれぞれに設定するように該当する画像識別情報で選択し、この選択した画像が歩行ルートのウォークスルー時に順次携帯端末のディスプレイに歩行ルートの立体画像として表示し得るように各画像の画像識別情報を歩行ルートの各桝目の両側壁、通路、天井のそれぞれに対応して設定画像蓄積手段に蓄積するように制御する設定画像選択蓄積制御手段と、
歩行ルートの各桝目の両側壁、通路、天井のそれぞれに選択的に設定された画像のうちの任意の画像を指定し、この指定された画像に対して任意の情報を携帯端末の入力手段から入力し、この入力された情報を歩行ルートのウォークスルー時に該当する画像とともに携帯端末のディスプレイに表示し得るように各情報を各桝目の両側壁、通路、天井に対応して情報蓄積手段に蓄積するように制御する情報入力蓄積制御手段と
を有することを特徴とする携帯端末での三次元簡易作成装置。
【請求項７】
前記任意の情報としてＵＲＬまたは電話番号を含む特定情報を携帯端末の入力手段から選択的に設定可能とし、この設定された特定情報が歩行ルートのウォークスルー時に該当する画像とともに表示された場合に該特定情報を携帯端末の入力手段から指定することにより該特定情報で指定される相手先に通信回線を介して接続される通信設定接続手段を更に有することを特徴とする請求項６記載の携帯端末での三次元簡易作成装置。
【請求項８】
前記任意の情報として質問情報および該質問情報に対する肯定情報および否定情報を含む問合せ情報を携帯端末の入力手段から選択的に設定可能とし、この設定された問合せ情報が歩行ルートのウォークスルー時に該当する画像とともに表示された場合に質問情報に対する回答として肯定情報または否定情報を携帯端末の入力手段から選択的に指定することにより、この選択的に指定された内容に応じて歩行ルート上の任意の桝目にジャンプする質問情報設定ジャンプ手段を更に有することを特徴とする請求項６記載の携帯端末での三次元簡易作成装置。
【請求項９】
歩行ルートの各桝目の両側壁、通路、天井のそれぞれに設定された任意の画像に対して貼り付けるための特殊画像を特殊画像識別情報とともに蓄積する特殊画像蓄積手段と、
歩行ルートの各桝目の両側壁、通路、天井のそれぞれに設定された任意の画像に貼り付けるための任意の特殊画像を選択し得るように各特殊画像を各特殊画像識別情報とともに前記特殊画像蓄積手段から読み出して携帯端末のディスプレイに表示する特殊画像選択表示手段と、
この表示された特殊画像を歩行ルートの各桝目の両側壁、通路、天井のそれぞれに選択的に設定するように該当する特殊画像識別情報で選択し、この選択した特殊画像が歩行ルートのウォークスルー時に携帯端末のディスプレイの歩行ルートの立体画像上に表示し得るように各特殊画像の特殊画像識別情報を歩行ルートの各桝目の両側壁、通路、天井のそれぞれに対応して特殊画像設定蓄積手段に蓄積するように制御する特殊画像選択蓄積制御手段と
を更に有することを特徴とする請求項６記載の携帯端末での三次元簡易作成装置。
【請求項１０】
前記スタートポイントからエンドポイントに至る歩行ルートを含む前記複数の桝目を１組とし、複数の組を設け、この複数の組のうちの１つの組のスタートポイントを他の組のエンドポイントに連結するという連結処理を複数の組において繰り返すことにより複数の組を連結した歩行ルートを形成する連結手段を更に有することを特徴とする請求項６記載の携帯端末での三次元簡易作成装置。
【請求項１１】
携帯端末のディスプレイに表示される歩行ルートを立体的に描いた三次元画像であって、この三次元画像の歩行ルートをウォークスルーすることにより歩行ルート上の三次元画像を閲覧し得るとともに、歩行ルートの任意の各ポイントに情報を設定し得る三次元画像を簡易に作成する携帯端末での三次元簡易作成プログラムであって、
携帯端末のディスプレイ上に歩行ルートを設定するための縦横に広がって形成された複数の桝目を表示し、
複数の桝目上の最外側の任意の１つの桝目に歩行ルートのスタートポイントを携帯端末の入力手段で設定し、
複数の桝目上の最外側の前記スタートポイントの桝目以外の任意の１つの桝目に歩行ルートのエンドポイントを携帯端末の入力手段で設定し、
前記スタートポイントからエンドポイントに至る１つ１つの桝目を携帯端末の入力手段で指定することによりスタートポイントからエンドポイントに至る任意の歩行ルートを複数の桝目上に設定し、
前記歩行ルートを形成する両側面、下面、上面に対応する両側壁、通路、天井にそれぞれ設定するための画像を必要により取得し、各画像に画像識別情報を付与して画像蓄積手段に蓄積し、
スタートポイントからエンドポイントに至る歩行ルートの各桝目の両側壁、通路、天井のそれぞれに設定する各画像を選択し得るように各画像を各画像識別情報とともに前記画像蓄積手段から読み出して表示し、
この表示された各画像を歩行ルートの各桝目の両側壁、通路、天井のそれぞれに設定するように該当する画像識別情報で選択し、この選択した画像が歩行ルートのウォークスルー時に順次携帯端末のディスプレイに歩行ルートの立体画像として表示し得るように各画像の画像識別情報を歩行ルートの各桝目の両側壁、通路、天井のそれぞれに対応して設定画像蓄積手段に蓄積し、
歩行ルートの各桝目の両側壁、通路、天井のそれぞれに選択的に設定された画像のうちの任意の画像を指定し、この指定された画像に対して任意の情報を携帯端末の入力手段から入力し、この入力された情報を歩行ルートのウォークスルー時に該当する画像とともに携帯端末のディスプレイに表示し得るように各情報を各桝目の両側壁、通路、天井に対応して情報蓄積手段に蓄積すること
を特徴とする携帯端末での三次元簡易作成プログラム。
【請求項１２】
前記任意の情報としてＵＲＬまたは電話番号を含む特定情報を携帯端末の入力手段から選択的に設定可能とし、この設定された特定情報が歩行ルートのウォークスルー時に該当する画像とともに表示された場合に該特定情報を携帯端末の入力手段から指定することにより該特定情報で指定される相手先に通信回線を介して接続されることを特徴とする請求項１１記載の携帯端末での三次元簡易作成プログラム。
【請求項１３】
前記任意の情報として質問情報および該質問情報に対する肯定情報および否定情報を含む問合せ情報を携帯端末の入力手段から選択的に設定可能とし、この設定された問合せ情報が歩行ルートのウォークスルー時に該当する画像とともに表示された場合に質問情報に対する回答として肯定情報または否定情報を携帯端末の入力手段から選択的に指定することにより、この選択的に指定された内容に応じて歩行ルート上の任意の桝目にジャンプすることを特徴とする請求項１１記載の携帯端末での三次元簡易作成プログラム。
【請求項１４】
歩行ルートの各桝目の両側壁、通路、天井のそれぞれに設定された任意の画像に対して貼り付けるための特殊画像を特殊画像識別情報とともに特殊画像蓄積手段に蓄積し、
歩行ルートの各桝目の両側壁、通路、天井のそれぞれに設定された任意の画像に貼り付けるための任意の特殊画像を選択し得るように各特殊画像を各特殊画像識別情報とともに前記特殊画像蓄積手段から読み出して携帯端末のディスプレイに表示し、
この表示された特殊画像を歩行ルートの各桝目の両側壁、通路、天井のそれぞれに選択的に設定するように該当する特殊画像識別情報で選択し、この選択した特殊画像が歩行ルートのウォークスルー時に携帯端末のディスプレイの歩行ルートの立体画像上に表示し得るように各特殊画像の特殊画像識別情報を歩行ルートの各桝目の両側壁、通路、天井のそれぞれに対応して特殊画像設定蓄積手段に蓄積すること
を特徴とする請求項１１記載の携帯端末での三次元簡易作成プログラム。
【請求項１５】
前記スタートポイントからエンドポイントに至る歩行ルートを含む前記複数の桝目を１組とし、複数の組を設け、この複数の組のうちの１つの組のスタートポイントを他の組のエンドポイントに連結するという連結処理を複数の組において繰り返すことにより複数の組を連結した歩行ルートを形成することを特徴とする請求項１１記載の携帯端末での三次元簡易作成プログラム。
【請求項１６】
携帯端末のディスプレイに表示される歩行ルートを立体的に描いた三次元画像であって、この三次元画像の歩行ルートをウォークスルーすることにより歩行ルート上の三次元画像を閲覧し得るとともに、歩行ルートの任意の各ポイントに情報を設定し得る三次元画像を簡易に作成する携帯端末での三次元簡易作成プログラムを記録した記録媒体であって、
携帯端末のディスプレイ上に歩行ルートを設定するための縦横に広がって形成された複数の桝目を表示し、
複数の桝目上の最外側の任意の１つの桝目に歩行ルートのスタートポイントを携帯端末の入力手段で設定し、
複数の桝目上の最外側の前記スタートポイントの桝目以外の任意の１つの桝目に歩行ルートのエンドポイントを携帯端末の入力手段で設定し、
前記スタートポイントからエンドポイントに至る１つ１つの桝目を携帯端末の入力手段で指定することによりスタートポイントからエンドポイントに至る任意の歩行ルートを複数の桝目上に設定し、
前記歩行ルートを形成する両側面、下面、上面に対応する両側壁、通路、天井にそれぞれ設定するための画像を必要により取得し、各画像に画像識別情報を付与して画像蓄積手段に蓄積し、
スタートポイントからエンドポイントに至る歩行ルートの各桝目の両側壁、通路、天井のそれぞれに設定する各画像を選択し得るように各画像を各画像識別情報とともに前記画像蓄積手段から読み出して表示し、
この表示された各画像を歩行ルートの各桝目の両側壁、通路、天井のそれぞれに設定するように該当する画像識別情報で選択し、この選択した画像が歩行ルートのウォークスルー時に順次携帯端末のディスプレイに歩行ルートの立体画像として表示し得るように各画像の画像識別情報を歩行ルートの各桝目の両側壁、通路、天井のそれぞれに対応して設定画像蓄積手段に蓄積し、
歩行ルートの各桝目の両側壁、通路、天井のそれぞれに選択的に設定された画像のうちの任意の画像を指定し、この指定された画像に対して任意の情報を携帯端末の入力手段から入力し、この入力された情報を歩行ルートのウォークスルー時に該当する画像とともに携帯端末のディスプレイに表示し得るように各情報を各桝目の両側壁、通路、天井に対応して情報蓄積手段に蓄積すること
を特徴とする携帯端末での三次元簡易作成プログラムを記録した記録媒体。
【請求項１７】
前記任意の情報としてＵＲＬまたは電話番号を含む特定情報を携帯端末の入力手段から選択的に設定可能とし、この設定された特定情報が歩行ルートのウォークスルー時に該当する画像とともに表示された場合に該特定情報を携帯端末の入力手段から指定することにより該特定情報で指定される相手先に通信回線を介して接続されることを特徴とする請求項１６記載の携帯端末での三次元簡易作成プログラムを記録した記録媒体。
【請求項１８】
前記任意の情報として質問情報および該質問情報に対する肯定情報および否定情報を含む問合せ情報を携帯端末の入力手段から選択的に設定可能とし、この設定された問合せ情報が歩行ルートのウォークスルー時に該当する画像とともに表示された場合に質問情報に対する回答として肯定情報または否定情報を携帯端末の入力手段から選択的に指定することにより、この選択的に指定された内容に応じて歩行ルート上の任意の桝目にジャンプすることを特徴とする請求項１６記載の携帯端末での三次元簡易作成プログラムを記録した記録媒体。
【請求項１９】
歩行ルートの各桝目の両側壁、通路、天井のそれぞれに設定された任意の画像に対して貼り付けるための特殊画像を特殊画像識別情報とともに特殊画像蓄積手段に蓄積し、
歩行ルートの各桝目の両側壁、通路、天井のそれぞれに設定された任意の画像に貼り付けるための任意の特殊画像を選択し得るように各特殊画像を各特殊画像識別情報とともに前記特殊画像蓄積手段から読み出して携帯端末のディスプレイに表示し、
この表示された特殊画像を歩行ルートの各桝目の両側壁、通路、天井のそれぞれに選択的に設定するように該当する特殊画像識別情報で選択し、この選択した特殊画像が歩行ルートのウォークスルー時に携帯端末のディスプレイの歩行ルートの立体画像上に表示し得るように各特殊画像の特殊画像識別情報を歩行ルートの各桝目の両側壁、通路、天井のそれぞれに対応して特殊画像設定蓄積手段に蓄積すること
を特徴とする請求項１６記載の携帯端末での三次元簡易作成プログラムを記録した記録媒体。
【請求項２０】
前記スタートポイントからエンドポイントに至る歩行ルートを含む前記複数の桝目を１組とし、複数の組を設け、この複数の組のうちの１つの組のスタートポイントを他の組のエンドポイントに連結するという連結処理を複数の組において繰り返すことにより複数の組を連結した歩行ルートを形成することを特徴とする請求項１６記載の携帯端末での三次元簡易作成プログラムを記録した記録媒体。
【発明の詳細な説明】
【０００１】
【発明の属する技術分野】
本発明は、携帯端末のディスプレイに表示される歩行ルートを立体的に描いた三次元画像であって、この三次元画像の歩行ルートをウォークスルーすることにより歩行ルート上の三次元画像を閲覧し得るとともに、歩行ルートの任意の各ポイントに情報を設定し得る三次元画像を簡易に作成する携帯端末での三次元簡易作成方法および装置と三次元簡易作成プログラムおよび該プログラムを記録した記録媒体に関する。
【０００２】
【従来の技術】
三次元（３Ｄ）利用によるインターネットの利用が普及したり、また写真機を取り付けた携帯端末が出始めているが、幅広い利用展開が見出せず、現在では単に撮った写真をメールで相手に送信する程度である。
【０００３】
三次元画像をインターネット上で動かすことは可能であるが、プログラム作成の難しさ、画像ファイルの大きさの割にネット上の線の細さのためになかなか現実の手軽な利用に近づけていない。
【０００４】
【発明が解決しようとする課題】
三次元画像を携帯端末上で動かすことは、従来、プログラム作成の難しさ、画像ファイルの大きさの割にネット上の線の細さのためになかなか現実の手軽な利用に近づけていないという問題がある。
【０００５】
本発明は、上記に鑑みてなされたもので、その目的とするところは、携帯端末のディスプレイにウォークスルーし得る歩行ルートを立体的に描いた三次元画像を簡易に作成する携帯端末での三次元簡易作成方法および装置と三次元簡易作成プログラムおよび該プログラムを記録した記録媒体を提供することにある。
【０００６】
【課題を解決するための手段】
上記目的を達成するため、請求項１記載の本発明は、携帯端末のディスプレイに表示される歩行ルートを立体的に描いた三次元画像であって、この三次元画像の歩行ルートをウォークスルーすることにより歩行ルート上の三次元画像を閲覧し得るとともに、歩行ルートの任意の各ポイントに情報を設定し得る三次元画像を簡易に作成する携帯端末での三次元簡易作成方法であって、携帯端末のディスプレイ上に歩行ルートを設定するための縦横に広がって形成された複数の桝目を表示し、複数の桝目上の最外側の任意の１つの桝目に歩行ルートのスタートポイントを携帯端末の入力手段で設定し、複数の桝目上の最外側の前記スタートポイントの桝目以外の任意の１つの桝目に歩行ルートのエンドポイントを携帯端末の入力手段で設定し、前記スタートポイントからエンドポイントに至る１つ１つの桝目を携帯端末の入力手段で指定することによりスタートポイントからエンドポイントに至る任意の歩行ルートを複数の桝目上に設定し、前記歩行ルートを形成する両側面、下面、上面に対応する両側壁、通路、天井にそれぞれ設定するための画像を必要により取得し、各画像に画像識別情報を付与して画像蓄積手段に蓄積し、スタートポイントからエンドポイントに至る歩行ルートの各桝目の両側壁、通路、天井のそれぞれに設定する各画像を選択し得るように各画像を各画像識別情報とともに前記画像蓄積手段から読み出して表示し、この表示された各画像を歩行ルートの各桝目の両側壁、通路、天井のそれぞれに設定するように該当する画像識別情報で選択し、この選択した画像が歩行ルートのウォークスルー時に順次携帯端末のディスプレイに歩行ルートの立体画像として表示し得るように各画像の画像識別情報を歩行ルートの各桝目の両側壁、通路、天井のそれぞれに対応して設定画像蓄積手段に蓄積し、歩行ルートの各桝目の両側壁、通路、天井のそれぞれに選択的に設定された画像のうちの任意の画像を指定し、この指定された画像に対して任意の情報を携帯端末の入力手段から入力し、この入力された情報を歩行ルートのウォークスルー時に該当する画像とともに携帯端末のディスプレイに表示し得るように各情報を各桝目の両側壁、通路、天井に対応して情報蓄積手段に蓄積することを要旨とする。
【０００７】
請求項１記載の本発明にあっては、携帯端末のディスプレイに歩行ルートを立体的に描いた三次元画像の歩行ルートを作成し、この三次元画像の歩行ルートをウォークスルーすることにより歩行ルート上の三次元画像を立体的に閲覧でき、また歩行ルートの任意の各ポイントに情報を設定し得る三次元画像を簡易に作成することができる。
【０００８】
また、請求項２記載の本発明は、請求項１記載の発明において、前記任意の情報としてＵＲＬまたは電話番号を含む特定情報を携帯端末の入力手段から選択的に設定可能とし、この設定された特定情報が歩行ルートのウォークスルー時に該当する画像とともに表示された場合に該特定情報を携帯端末の入力手段から指定することにより該特定情報で指定される相手先に通信回線を介して接続されることを要旨とする。
【０００９】
請求項２記載の本発明にあっては、ＵＲＬまたは電話番号を含む特定情報を歩行ルートの任意の画像に設定し、この特定情報で指定される相手先に通信回線を介して接続することができる。
【００１０】
更に、請求項３記載の本発明は、請求項１記載の発明において、前記任意の情報として質問情報および該質問情報に対する肯定情報および否定情報を含む問合せ情報を携帯端末の入力手段から選択的に設定可能とし、この設定された問合せ情報が歩行ルートのウォークスルー時に該当する画像とともに表示された場合に質問情報に対する回答として肯定情報または否定情報を携帯端末の入力手段から選択的に指定することにより、この選択的に指定された内容に応じて歩行ルート上の任意の桝目にジャンプすることを要旨とする。
【００１１】
請求項３記載の本発明にあっては、質問情報および該質問情報に対する肯定情報および否定情報を含む問合せ情報を歩行ルートの任意の画像に設定し、質問情報に対する回答として肯定情報または否定情報を携帯端末の入力手段から選択的に指定することにより、この選択的に指定された内容に応じて歩行ルート上の任意の桝目にジャンプすることができる。
【００１２】
請求項４記載の本発明は、請求項１記載の発明において、歩行ルートの各桝目の両側壁、通路、天井のそれぞれに設定された任意の画像に対して貼り付けるための特殊画像を特殊画像識別情報とともに特殊画像蓄積手段に蓄積し、歩行ルートの各桝目の両側壁、通路、天井のそれぞれに設定された任意の画像に貼り付けるための任意の特殊画像を選択し得るように各特殊画像を各特殊画像識別情報とともに前記特殊画像蓄積手段から読み出して携帯端末のディスプレイに表示し、この表示された特殊画像を歩行ルートの各桝目の両側壁、通路、天井のそれぞれに選択的に設定するように該当する特殊画像識別情報で選択し、この選択した特殊画像が歩行ルートのウォークスルー時に携帯端末のディスプレイの歩行ルートの立体画像上に表示し得るように各特殊画像の特殊画像識別情報を歩行ルートの各桝目の両側壁、通路、天井のそれぞれに対応して特殊画像設定蓄積手段に蓄積することを要旨とする。
【００１３】
請求項４記載の本発明にあっては、例えば信号機などのような特殊画像を歩行ルートの任意の画像に設定し、この設定した特殊画像を歩行ルートのウォークスルー時に携帯端末のディスプレイの歩行ルートの立体画像上に表示される。
【００１４】
また、請求項５記載の本発明は、請求項１記載の発明において、前記スタートポイントからエンドポイントに至る歩行ルートを含む前記複数の桝目を１組とし、複数の組を設け、この複数の組のうちの１つの組のスタートポイントを他の組のエンドポイントに連結するという連結処理を複数の組において繰り返すことにより複数の組を連結した歩行ルートを形成することを要旨とする。
【００１５】
請求項５記載の本発明にあっては、歩行ルートを含む複数の桝目に複数の組を設け、この複数の組を互いに連結し、複数の組を連結した大きな歩行ルートを作成することができる。
【００１６】
更に、請求項６記載の本発明は、携帯端末のディスプレイに表示される歩行ルートを立体的に描いた三次元画像であって、この三次元画像の歩行ルートをウォークスルーすることにより歩行ルート上の三次元画像を閲覧し得るとともに、歩行ルートの任意の各ポイントに情報を設定し得る三次元画像を簡易に作成する携帯端末での三次元簡易作成装置であって、携帯端末のディスプレイ上に歩行ルートを設定するための縦横に広がって形成された複数の桝目を表示する桝目表示手段と、複数の桝目上の最外側の任意の１つの桝目に歩行ルートのスタートポイントを携帯端末の入力手段で設定するスタートポイント設定手段と、複数の桝目上の最外側の前記スタートポイントの桝目以外の任意の１つの桝目に歩行ルートのエンドポイントを携帯端末の入力手段で設定するエンドポイント設定手段と、前記スタートポイントからエンドポイントに至る１つ１つの桝目を携帯端末の入力手段で指定することによりスタートポイントからエンドポイントに至る歩行ルートを複数の桝目上に設定する歩行ルート設定手段と、前記歩行ルートを形成する両側面、下面、上面に対応する両側壁、通路、天井にそれぞれ設定するための画像を必要により取得し、各画像に画像識別情報を付与して蓄積する画像蓄積手段と、スタートポイントからエンドポイントに至る歩行ルートの各桝目の両側壁、通路、天井のそれぞれに設定する各画像を選択し得るように各画像を各画像識別情報とともに前記画像蓄積手段から読み出して表示する画像選択表示手段と、この表示された各画像を歩行ルートの各桝目の両側壁、通路、天井のそれぞれに設定するように該当する画像識別情報で選択し、この選択した画像が歩行ルートのウォークスルー時に順次携帯端末のディスプレイに歩行ルートの立体画像として表示し得るように各画像の画像識別情報を歩行ルートの各桝目の両側壁、通路、天井のそれぞれに対応して設定画像蓄積手段に蓄積するように制御する設定画像選択蓄積制御手段と、歩行ルートの各桝目の両側壁、通路、天井のそれぞれに選択的に設定された画像のうちの任意の画像を指定し、この指定された画像に対して任意の情報を携帯端末の入力手段から入力し、この入力された情報を歩行ルートのウォークスルー時に該当する画像とともに携帯端末のディスプレイに表示し得るように各情報を各桝目の両側壁、通路、天井に対応して情報蓄積手段に蓄積するように制御する情報入力蓄積制御手段とを有することを要旨とする。
【００１７】
請求項６記載の本発明にあっては、携帯端末のディスプレイに歩行ルートを立体的に描いた三次元画像の歩行ルートを作成し、この三次元画像の歩行ルートをウォークスルーすることにより歩行ルート上の三次元画像を立体的に閲覧でき、また歩行ルートの任意の各ポイントに情報を設定し得る三次元画像を簡易に作成することができる。
【００１８】
請求項７記載の本発明は、請求項６記載の発明において、前記任意の情報としてＵＲＬまたは電話番号を含む特定情報を携帯端末の入力手段から選択的に設定可能とし、この設定された特定情報が歩行ルートのウォークスルー時に該当する画像とともに表示された場合に該特定情報を携帯端末の入力手段から指定することにより該特定情報で指定される相手先に通信回線を介して接続される通信設定接続手段を更に有することを要旨とする。
【００１９】
請求項７記載の本発明にあっては、ＵＲＬまたは電話番号を含む特定情報を歩行ルートの任意の画像に設定し、この特定情報で指定される相手先に通信回線を介して接続することができる。
【００２０】
また、請求項８記載の本発明は、請求項６記載の発明において、前記任意の情報として質問情報および該質問情報に対する肯定情報および否定情報を含む問合せ情報を携帯端末の入力手段から選択的に設定可能とし、この設定された問合せ情報が歩行ルートのウォークスルー時に該当する画像とともに表示された場合に質問情報に対する回答として肯定情報または否定情報を携帯端末の入力手段から選択的に指定することにより、この選択的に指定された内容に応じて歩行ルート上の任意の桝目にジャンプする質問情報設定ジャンプ手段を更に有することを要旨とする。
【００２１】
請求項８記載の本発明にあっては、質問情報および該質問情報に対する肯定情報および否定情報を含む問合せ情報を歩行ルートの任意の画像に設定し、質問情報に対する回答として肯定情報または否定情報を携帯端末の入力手段から選択的に指定することにより、この選択的に指定された内容に応じて歩行ルート上の任意の桝目にジャンプすることができる。
【００２２】
更に、請求項９記載の本発明は、請求項６記載の発明において、歩行ルートの各桝目の両側壁、通路、天井のそれぞれに設定された任意の画像に対して貼り付けるための特殊画像を特殊画像識別情報とともに蓄積する特殊画像蓄積手段と、歩行ルートの各桝目の両側壁、通路、天井のそれぞれに設定された任意の画像に貼り付けるための任意の特殊画像を選択し得るように各特殊画像を各特殊画像識別情報とともに前記特殊画像蓄積手段から読み出して携帯端末のディスプレイに表示する特殊画像選択表示手段と、この表示された特殊画像を歩行ルートの各桝目の両側壁、通路、天井のそれぞれに選択的に設定するように該当する特殊画像識別情報で選択し、この選択した特殊画像が歩行ルートのウォークスルー時に携帯端末のディスプレイに歩行ルートの立体画像上に表示し得るように各特殊画像の特殊画像識別情報を歩行ルートの各桝目の両側壁、通路、天井のそれぞれに対応して特殊画像設定蓄積手段に蓄積するように制御する特殊画像選択蓄積制御手段とを更に有することを要旨とする。
【００２３】
請求項９記載の本発明にあっては、例えば信号機などのような特殊画像を歩行ルートの任意の画像に設定し、この設定した特殊画像を歩行ルートのウォークスルー時に携帯端末のディスプレイの歩行ルートの立体画像上に表示される。
【００２４】
請求項１０記載の本発明は、請求項６記載の発明において、前記スタートポイントからエンドポイントに至る歩行ルートを含む前記複数の桝目を１組とし、複数の組を設け、この複数の組のうちの１つの組のスタートポイントを他の組のエンドポイントに連結するという連結処理を複数の組において繰り返すことにより複数の組を連結した歩行ルートを形成する連結手段を更に有することを要旨とする。
【００２５】
請求項１０記載の本発明にあっては、歩行ルートを含む複数の桝目に複数の組を設け、この複数の組を互いに連結し、複数の組を連結した大きな歩行ルートを作成することができる。
【００２６】
また、請求項１１記載の本発明は、携帯端末のディスプレイに表示される歩行ルートを立体的に描いた三次元画像であって、この三次元画像の歩行ルートをウォークスルーすることにより歩行ルート上の三次元画像を閲覧し得るとともに、歩行ルートの任意の各ポイントに情報を設定し得る三次元画像を簡易に作成する携帯端末での三次元簡易作成プログラムであって、携帯端末のディスプレイ上に歩行ルートを設定するための縦横に広がって形成された複数の桝目を表示し、複数の桝目上の最外側の任意の１つの桝目に歩行ルートのスタートポイントを携帯端末の入力手段で設定し、複数の桝目上の最外側の前記スタートポイントの桝目以外の任意の１つの桝目に歩行ルートのエンドポイントを携帯端末の入力手段で設定し、前記スタートポイントからエンドポイントに至る１つ１つの桝目を携帯端末の入力手段で指定することによりスタートポイントからエンドポイントに至る任意の歩行ルートを複数の桝目上に設定し、前記歩行ルートを形成する両側面、下面、上面に対応する両側壁、通路、天井にそれぞれ設定するための画像を必要により取得し、各画像に画像識別情報を付与して画像蓄積手段に蓄積し、スタートポイントからエンドポイントに至る歩行ルートの各桝目の両側壁、通路、天井のそれぞれに設定する各画像を選択し得るように各画像を各画像識別情報とともに前記画像蓄積手段から読み出して表示し、この表示された各画像を歩行ルートの各桝目の両側壁、通路、天井のそれぞれに設定するように該当する画像識別情報で選択し、この選択した画像が歩行ルートのウォークスルー時に順次携帯端末のディスプレイに歩行ルートの立体画像として表示し得るように各画像の画像識別情報を歩行ルートの各桝目の両側壁、通路、天井のそれぞれに対応して設定画像蓄積手段に蓄積し、歩行ルートの各桝目の両側壁、通路、天井のそれぞれに選択的に設定された画像のうちの任意の画像を指定し、この指定された画像に対して任意の情報を携帯端末の入力手段から入力し、この入力された情報を歩行ルートのウォークスルー時に該当する画像とともに携帯端末のディスプレイに表示し得るように各情報を各桝目の両側壁、通路、天井に対応して情報蓄積手段に蓄積することを要旨とする。
【００２７】
請求項１１記載の本発明にあっては、携帯端末のディスプレイに歩行ルートを立体的に描いた三次元画像の歩行ルートを作成し、この三次元画像の歩行ルートをウォークスルーすることにより歩行ルート上の三次元画像を立体的に閲覧でき、また歩行ルートの任意の各ポイントに情報を設定し得る三次元画像を簡易に作成することができる。
【００２８】
更に、請求項１２記載の本発明は、請求項１１記載の発明において、前記任意の情報としてＵＲＬまたは電話番号を含む特定情報を携帯端末の入力手段から選択的に設定可能とし、この設定された特定情報が歩行ルートのウォークスルー時に該当する画像とともに表示された場合に該特定情報を携帯端末の入力手段から指定することにより該特定情報で指定される相手先に通信回線を介して接続されることを要旨とする。
【００２９】
請求項１２記載の本発明にあっては、ＵＲＬまたは電話番号を含む特定情報を歩行ルートの任意の画像に設定し、この特定情報で指定される相手先に通信回線を介して接続することができる。
【００３０】
請求項１３記載の本発明は、請求項１１記載の発明において、前記任意の情報として質問情報および該質問情報に対する肯定情報および否定情報を含む問合せ情報を携帯端末の入力手段から選択的に設定可能とし、この設定された問合せ情報が歩行ルートのウォークスルー時に該当する画像とともに表示された場合に質問情報に対する回答として肯定情報または否定情報を携帯端末の入力手段から選択的に指定することにより、この選択的に指定された内容に応じて歩行ルート上の任意の桝目にジャンプすることを要旨とする。
【００３１】
請求項１３記載の本発明にあっては、質問情報および該質問情報に対する肯定情報および否定情報を含む問合せ情報を歩行ルートの任意の画像に設定し、質問情報に対する回答として肯定情報または否定情報を携帯端末の入力手段から選択的に指定することにより、この選択的に指定された内容に応じて歩行ルート上の任意の桝目にジャンプすることができる。
【００３２】
また、請求項１４記載の本発明は、請求項１１記載の発明において、歩行ルートの各桝目の両側壁、通路、天井のそれぞれに設定された任意の画像に対して貼り付けるための特殊画像を特殊画像識別情報とともに特殊画像蓄積手段に蓄積し、歩行ルートの各桝目の両側壁、通路、天井のそれぞれに設定された任意の画像に貼り付けるための任意の特殊画像を選択し得るように各特殊画像を各特殊画像識別情報とともに前記特殊画像蓄積手段から読み出して携帯端末のディスプレイに表示し、この表示された特殊画像を歩行ルートの各桝目の両側壁、通路、天井のそれぞれに選択的に設定するように該当する特殊画像識別情報で選択し、この選択した特殊画像が歩行ルートのウォークスルー時に携帯端末のディスプレイに歩行ルートの立体画像上に表示し得るように各特殊画像の特殊画像識別情報を歩行ルートの各桝目の両側壁、通路、天井のそれぞれに対応して特殊画像設定蓄積手段に蓄積することを要旨とする。
【００３３】
請求項１４記載の本発明にあっては、例えば信号機などのような特殊画像を歩行ルートの任意の画像に設定し、この設定した特殊画像を歩行ルートのウォークスルー時に携帯端末のディスプレイの歩行ルートの立体画像上に表示される。
【００３４】
更に、請求項１５記載の本発明は、請求項１１記載の発明において、前記スタートポイントからエンドポイントに至る歩行ルートを含む前記複数の桝目を１組とし、複数の組を設け、この複数の組のうちの１つの組のスタートポイントを他の組のエンドポイントに連結するという連結処理を複数の組において繰り返すことにより複数の組を連結した歩行ルートを形成することを要旨とする。
【００３５】
請求項１５記載の本発明にあっては、歩行ルートを含む複数の桝目に複数の組を設け、この複数の組を互いに連結し、複数の組を連結した大きな歩行ルートを作成することができる。
【００３６】
請求項１６記載の本発明は、携帯端末のディスプレイに表示される歩行ルートを立体的に描いた三次元画像であって、この三次元画像の歩行ルートをウォークスルーすることにより歩行ルート上の三次元画像を閲覧し得るとともに、歩行ルートの任意の各ポイントに情報を設定し得る三次元画像を簡易に作成する携帯端末での三次元簡易作成プログラムを記録した記録媒体であって、携帯端末のディスプレイ上に歩行ルートを設定するための縦横に広がって形成された複数の桝目を表示し、複数の桝目上の最外側の任意の１つの桝目に歩行ルートのスタートポイントを携帯端末の入力手段で設定し、複数の桝目上の最外側の前記スタートポイントの桝目以外の任意の１つの桝目に歩行ルートのエンドポイントを携帯端末の入力手段で設定し、前記スタートポイントからエンドポイントに至る１つ１つの桝目を携帯端末の入力手段で指定することによりスタートポイントからエンドポイントに至る任意の歩行ルートを複数の桝目上に設定し、前記歩行ルートを形成する両側面、下面、上面に対応する両側壁、通路、天井にそれぞれ設定するための画像を必要により取得し、各画像に画像識別情報を付与して画像蓄積手段に蓄積し、スタートポイントからエンドポイントに至る歩行ルートの各桝目の両側壁、通路、天井のそれぞれに設定する各画像を選択し得るように各画像を各画像識別情報とともに前記画像蓄積手段から読み出して表示し、この表示された各画像を歩行ルートの各桝目の両側壁、通路、天井のそれぞれに設定するように該当する画像識別情報で選択し、この選択した画像が歩行ルートのウォークスルー時に順次携帯端末のディスプレイに歩行ルートの立体画像として表示し得るように各画像の画像識別情報を歩行ルートの各桝目の両側壁、通路、天井のそれぞれに対応して設定画像蓄積手段に蓄積し、歩行ルートの各桝目の両側壁、通路、天井のそれぞれに選択的に設定された画像のうちの任意の画像を指定し、この指定された画像に対して任意の情報を携帯端末の入力手段から入力し、この入力された情報を歩行ルートのウォークスルー時に該当する画像とともに携帯端末のディスプレイに表示し得るように各情報を各桝目の両側壁、通路、天井に対応して情報蓄積手段に蓄積する携帯端末での三次元簡易作成プログラムを記録媒体に記録することを要旨とする。
【００３７】
請求項１６記載の本発明にあっては、携帯端末のディスプレイに歩行ルートを立体的に描いた三次元画像の歩行ルートを作成し、この三次元画像の歩行ルートをウォークスルーすることにより歩行ルート上の三次元画像を立体的に閲覧でき、また歩行ルートの任意の各ポイントに情報を設定し得る三次元画像を簡易に作成する携帯端末での三次元簡易作成プログラムを記録媒体に記録しているため、該記録媒体を用いて、その流通性を高めることができる。
【００３８】
また、請求項１７記載の本発明は、請求項１６記載の発明において、前記任意の情報としてＵＲＬまたは電話番号を含む特定情報を携帯端末の入力手段から選択的に設定可能とし、この設定された特定情報が歩行ルートのウォークスルー時に該当する画像とともに表示された場合に該特定情報を携帯端末の入力手段から指定することにより該特定情報で指定される相手先に通信回線を介して接続される携帯端末での三次元簡易作成プログラムを記録媒体に記録することを要旨とする。
【００３９】
請求項１７記載の本発明にあっては、ＵＲＬまたは電話番号を含む特定情報を歩行ルートの任意の画像に設定し、この特定情報で指定される相手先に通信回線を介して接続する携帯端末での三次元簡易作成プログラムを記録媒体に記録しているため、該記録媒体を用いて、その流通性を高めることができる。
【００４０】
更に、請求項１８記載の本発明は、請求項１６記載の発明において、前記任意の情報として質問情報および該質問情報に対する肯定情報および否定情報を含む問合せ情報を携帯端末の入力手段から選択的に設定可能とし、この設定された問合せ情報が歩行ルートのウォークスルー時に該当する画像とともに表示された場合に質問情報に対する回答として肯定情報または否定情報を携帯端末の入力手段から選択的に指定することにより、この選択的に指定された内容に応じて歩行ルート上の任意の桝目にジャンプする携帯端末での三次元簡易作成プログラムを記録媒体に記録することを要旨とする。
【００４１】
請求項１８記載の本発明にあっては、質問情報および該質問情報に対する肯定情報および否定情報を含む問合せ情報を歩行ルートの任意の画像に設定し、質問情報に対する回答として肯定情報または否定情報を携帯端末の入力手段から選択的に指定することにより、この選択的に指定された内容に応じて歩行ルート上の任意の桝目にジャンプする携帯端末での三次元簡易作成プログラムを記録媒体に記録しているため、該記録媒体を用いて、その流通性を高めることができる。
【００４２】
請求項１９記載の本発明は、請求項１６記載の発明において、歩行ルートの各桝目の両側壁、通路、天井のそれぞれに設定された任意の画像に対して貼り付けるための特殊画像を特殊画像識別情報とともに特殊画像蓄積手段に蓄積し、歩行ルートの各桝目の両側壁、通路、天井のそれぞれに設定された任意の画像に貼り付けるための任意の特殊画像を選択し得るように各特殊画像を各特殊画像識別情報とともに前記特殊画像蓄積手段から読み出して携帯端末のディスプレイに表示し、この表示された特殊画像を歩行ルートの各桝目の両側壁、通路、天井のそれぞれに選択的に設定するように該当する特殊画像識別情報で選択し、この選択した特殊画像が歩行ルートのウォークスルー時に携帯端末のディスプレイに歩行ルートの立体画像上に表示し得るように各特殊画像の特殊画像識別情報を歩行ルートの各桝目の両側壁、通路、天井のそれぞれに対応して特殊画像設定蓄積手段に蓄積する携帯端末での三次元簡易作成プログラムを記録媒体に記録することを要旨とする。
【００４３】
請求項１９記載の本発明にあっては、例えば信号機などのような特殊画像を歩行ルートの任意の画像に設定し、この設定した特殊画像を歩行ルートのウォークスルー時に携帯端末のディスプレイの歩行ルートの立体画像上に表示される携帯端末での三次元簡易作成プログラムを記録媒体に記録しているため、該記録媒体を用いて、その流通性を高めることができる。
【００４４】
また、請求項２０記載の本発明は、請求項１６記載の発明において、前記スタートポイントからエンドポイントに至る歩行ルートを含む前記複数の桝目を１組とし、複数の組を設け、この複数の組のうちの１つの組のスタートポイントを他の組のエンドポイントに連結するという連結処理を複数の組において繰り返すことにより複数の組を連結した歩行ルートを形成する携帯端末での三次元簡易作成プログラムを記録媒体に記録することを要旨とする。
【００４５】
請求項２０記載の本発明にあっては、歩行ルートを含む複数の桝目に複数の組を設け、この複数の組を互いに連結し、複数の組を連結した大きな歩行ルートを作成する携帯端末での三次元簡易作成プログラムを記録媒体に記録しているため、該記録媒体を用いて、その流通性を高めることができる。
【００４６】
【発明の実施の形態】
以下、図面を用いて本発明の実施の形態を説明する。図１は、本発明の一実施形態に係る携帯端末での三次元簡易作成方法を説明するための図であり、図２は、図１に示す実施形態の三次元簡易作成方法を実施する三次元簡易作成装置の構成を示すブロック図である。
【００４７】
本実施形態の携帯端末での三次元簡易作成方法では、図１に示すように、携帯端末１のディスプレイ１ａに立体的に描いた三次元画像の歩行ルートを作成し、この三次元画像の歩行ルートをウォークスルー、すなわちユーザ自身が走行または歩いて通り過ぎることにより歩行ルート上の三次元画像を楽しみながら閲覧し得るとともに、歩行ルートの任意の各ポイントに例えばクイズなどの質問や信号機などの特殊画像などを含む各種情報を選択的に設定して楽しむことができる三次元画像を簡易に作成するものであるが、更に詳しくは、この歩行ルートの三次元画像は、例えば図１において右下に符号１０３，１０３ａで画像イメージの一部を示すように三次元の歩行ルートが携帯端末１のディスプレイ１ａに次々と順次現われるような三次元画像を携帯端末１上で簡単に作成しようとするものである。画像イメージ１０３は、この構成を概略的に図示しているものであるのに対して、画像イメージ１０３ａは実際に写真などを利用してリアルに表示しているものである。
【００４８】
このような三次元画像を携帯端末１のディスプレイ１ａで作成するに当たっては、まず歩行ルートおよびそのスタートポイントとエンドポイントをディスプレイ１ａ上で設定する必要があるが、このために携帯端末１のディスプレイ１ａ上に歩行ルートを設定するために図１において符号１０１ａで示すように縦横に広がって形成された複数の桝目からなる桝目画像がディスプレイ１ａに設定される。この複数の桝目からなる桝目画像１０１ａは、一例として横１０桝、縦１５桝で形成されている。
【００４９】
このように構成される桝目画像１０１ａに対して歩行ルートを設定するために、まず歩行ルートのスタートポイントおよびエンドポイントをそれぞれ桝目画像１０１ａ上でＳおよびＥで示すように桝目画像１０１ａの最外側の任意の１つの桝目に携帯端末１の矢印キーやテンキーなどからなる入力手段で設定する。
【００５０】
このようにスタートポイントＳおよびエンドポイントＥが桝目画像１０１ａ上に設定されると、次にこのスタートポイントＳからエンドポイントＥに至る１つ１つの桝目を携帯端末１の入力手段で指定することによりスタートポイントＳからエンドポイントＥに至る任意の歩行ルートを桝目画像１０１ａ上に斜線で示すように設定する。このようにして、スタートポイントＳからエンドポイントＥに至る歩行ルートを携帯端末１のディスプレイ１ａ上に携帯端末１の入力手段から設定することができる。
【００５１】
このように設定された歩行ルートは、ユーザがこの歩行ルートをウォークスルーした場合に歩行ルートが三次元画像で立体的に見える歩行ルート内をウォークスルーしたように感じさせるために、該歩行ルートを形成する両側面、下面、上面に対応する両側壁、通路、天井の写真などの画像を設定することが必要である。この両側壁、通路、天井の写真などの画像は、例えば図１において右下に示した画像イメージ１０３，１０３ａで示すように、通路となる下側に示す芝生の地面、両側壁の風景、天井となる上側の青空などであり、このような画像は桝目画像１０１ａ上の歩行ルートの１つ１つの桝目毎に作成されることになる。
【００５２】
次の桝目画像１０１ｂでは、このような両側壁、通路、天井の写真などの画像を歩行ルート上の適当なポイントに対して設定するために黒く塗りつぶして示す桝目が携帯端末１の入力手段から適宜指定されるとともに、この指定された黒塗りの桝目に設定するための画像である写真（１）〜（８）も選択的にディスプレイ１ａ上に表示される。なお、この写真（１）〜（８）のディスプレイ１ａ上への表示は、例えば桝目画像１０１ｂの上に重畳して切り替え表示される。
【００５３】
このように表示された写真（１）〜（８）を選択して、上述した黒塗りの桝目に対して各写真を設定すると、次の桝目画像１０１ｃの該当する桝目に数字（１）〜（８）で示すように各写真が設定される。なお、このような写真からなる画像の選択および設定は、各桝目の両側壁、通路、天井のそれぞれに対して同様に行う必要があるが、上記選択および設定は、そのうちの１つ、例えば側壁について行ったものである。また、上記説明では、桝目画像１０１ｂに黒塗りした桝目で示したように、歩行ルートのすべての桝目に対して行わず、黒塗りしたいくつかの桝目について選択的に行っているが、その他の桝目はデフォルトの画像が歩行ルートの各桝目の両側壁、通路、天井のそれぞれに設定されることになる。しかしながら、三次元簡易作成装置としては、歩行ルートを構成するすべての桝目の両側壁、通路、天井のそれぞれに対して画像を選択的に設定することになることは同じである。
【００５４】
桝目画像１０１ａから１０１ｃまでにおいて、スタートポイントＳからエンドポイントＥに至る歩行ルートの設定、歩行ルートを構成する各桝目の両側壁、通路、天井のそれぞれに対する画像の選択と設定が行われたことになるが、次に桝目画像１０１ｄでは、このように設定された歩行ルートの任意の桝目の画像に対して文言などの情報を挿入しようとするものであり、同桝目画像１０１ｄでは、１つの桝目上にアルファベットの大文字の「Ｉ」で示すようにこの桝目の画像に対して情報Ｉを挿入することができるようになっている。このような情報Ｉを挿入した画像イメージが図１において右下に符号１０３，１０３ａで示す画像イメージであり、この画像イメージ１０３，１０３ａの下側には、「文言」として示すように例えば画像の説明文、質問文や肯定／否定回答文などの種々の情報を挿入することができるようになっている。
【００５５】
次に、図２を参照して、図１で説明した携帯端末での三次元簡易作成方法を実施する三次元簡易作成装置について説明する。本実施形態の三次元簡易作成装置は、図１および図２に示すように、携帯端末１の内部に点線で示すように三次元簡易作成装置１０として設けられているが、この三次元簡易作成装置１０は、図２に示すように、桝目表示手段１１、スタートポイント設定手段１３、エンドポイント設定手段１５、歩行ルート設定手段１７、画像蓄積手段１９、画像選択表示手段２１、設定画像選択蓄積制御手段２３、設定画像蓄積手段２５、情報蓄積手段２７、情報入力蓄積制御手段２９、通信設定接続手段３１、質問情報設定ジャンプ手段３３、連結手段３５、特殊画像選択表示手段３７、特殊画像蓄積手段３９、特殊画像選択蓄積制御手段４１、および特殊画像設定蓄積手段４３を有する。
【００５６】
桝目表示手段１１は、携帯端末１のディスプレイ１ａ上に歩行ルートを設定するための縦横に広がって形成された複数の桝目からなる桝目画像１０１を表示し、スタートポイント設定手段１３は、この表示された複数の桝目からなる桝目画像１０１上の最外側の任意の１つの桝目に歩行ルートのスタートポイントＳを携帯端末１の入力手段で設定し、エンドポイント設定手段１５は、複数の桝目からなる桝目画像１０１上の最外側のスタートポイントＳの桝目以外の任意の１つの桝目に歩行ルートのエンドポイントＥを携帯端末１の入力手段で設定する。歩行ルート設定手段１７は、桝目画像１０１上に表示されたスタートポイントＳからエンドポイントＥに至る１つ１つの桝目を携帯端末１の入力手段で指定することによりスタートポイントＳからエンドポイントＥに至る歩行ルートを複数の桝目からなる桝目画像１０１上に設定する。
【００５７】
画像蓄積手段１９は、歩行ルートを形成する両側面、下面、上面に対応する両側壁、通路、天井にそれぞれ設定するための画像を予め携帯端末１内に備えているものに加えて必要により携帯端末のインターネット機能などの利用により取得し、各画像に画像識別番号などの画像識別情報を付与して蓄積する。
【００５８】
画像選択表示手段２１は、スタートポイントＳからエンドポイントＥに至る歩行ルートの各桝目の両側壁、通路、天井のそれぞれに設定する各画像を選択し得るように各画像を各画像識別情報とともに画像蓄積手段１９から読み出して携帯端末１のディスプレイ１ａに表示する。ユーザは、次に示すように、この表示された各画像を画像識別情報で選択することができる。
【００５９】
すなわち、設定画像選択蓄積制御手段２３は、上述したように携帯端末１のディスプレイ１ａに表示された各画像を歩行ルートの各桝目の両側壁、通路、天井のそれぞれに設定するように該当する画像識別情報で各画像を選択し、この選択した画像が歩行ルートのウォークスルー時に順次携帯端末１のディスプレイ１ａに歩行ルートの立体画像として表示し得るように各画像の画像識別情報を歩行ルートの各桝目の両側壁、通路、天井のそれぞれに対応して設定画像蓄積手段２５に蓄積する。この結果、設定画像蓄積手段２５に設定された各画像の画像識別情報は、ユーザが歩行ルートを携帯端末１のディスプレイ１ａに表示したウォークスルーする動作に同期して設定画像蓄積手段２５から読み出され、この読み出された画像識別情報で該当する画像が画像蓄積手段１９から選択され、携帯端末１のディスプレイ１ａに表示される。
【００６０】
次に、情報入力蓄積制御手段２９は、歩行ルートの各桝目の両側壁、通路、天井のそれぞれに設定された画像のうちの任意の画像を携帯端末１の入力手段から指定し、この指定された画像に対して任意の情報「Ｉ」、例えば上述したように画像の説明文、質問文や肯定／否定回答文などの種々の情報を携帯端末１の入力手段から入力して挿入し、この入力された情報を歩行ルートのウォークスルー時に該当する画像とともに携帯端末１のディスプレイ１ａに、例えば図１において右下の画像イメージ１０３の画像の下側の文言で示すように、表示し得るように各情報を各桝目の両側壁、通路、天井に対応して情報蓄積手段２７に蓄積するようになっている。
【００６１】
更に、通信設定接続手段３１は、歩行ルートの各画像に挿入した上記情報としてＵＲＬまたは電話番号を含む特定情報を携帯端末１の入力手段から選択的に設定可能であり、この設定された特定情報が歩行ルートのウォークスルー時に該当する画像とともに表示された場合に該特定情報を携帯端末１の入力手段からクリックなどで指定することにより該特定情報で指定されるＵＲＬまたは電話番号の相手先に無線回線、無線基地局などの通信回線を介して接続されるようになっている。例えば、歩行ルート上のある桝目の画像に祖父や祖母の画像が表示された場合において、その電話番号などが表示された場合には、この表示をクリックなどで指定することにより、電話などで祖父や祖母を呼び出すことができる。
【００６２】
また、質問情報設定ジャンプ手段３３は、前記情報として質問情報および該質問情報に対する肯定情報または否定情報を含む問合せ情報を携帯端末１の入力手段から選択的に設定可能であり、この設定された問合せ情報が歩行ルートのウォークスルー時に該当する画像とともに表示された場合に質問情報に対する回答として肯定情報または否定情報を携帯端末１の入力手段から選択的に指定することにより、この選択的に指定された内容に応じて歩行ルート上の任意の桝目にジャンプすることができるものであり、この問合せ情報を多様することにより例えばゲームを作成することも可能である。
【００６３】
また更に、連結手段３５は、図６に示すように、スタートポイントＳからエンドポイントＥに至る歩行ルートを含む複数の桝目からなる桝目画像を１組とし、この桝目画像を複数組（図６において１１１，１１２，１１３，１１４，１１５，１１６の６組）を設け、この複数の組のうちの１つの組のスタートポイントＳを他の組のエンドポイントＥに連結するという連結処理を複数の組において繰り返すことにより複数の組を連結した歩行ルートを形成することができるものである。この結果、非常に大きな歩行ルートを作成することも可能となる。
【００６４】
なお、図６では、第１の桝目画像１１１のエンドポイントＥ１を第２の桝目画像１１２のスタートポイントＳ２に連結し、第２の桝目画像１１２のエンドポイントＥ２を第３の桝目画像１１３のスタートポイントＳ３に連結し、第３の桝目画像１１３のエンドポイントＥ３を第４の桝目画像１１４のスタートポイントＳ４に連結し、第４の桝目画像１１４のエンドポイントＥ４を第５の桝目画像１１５のスタートポイントＳ５に連結し、第５の桝目表示手段１１５のエンドポイントＥ５を第６の桝目画像１１６のスタートポイントＳ６に連結し、第６の桝目画像１１６のエンドポイントＥ６を第１の桝目画像１１１のスタートポイントＳ１に連結しているものである。
【００６５】
特殊画像蓄積手段３９は、歩行ルートの各桝目の両側壁、通路、天井のそれぞれに設定された任意の画像に対して貼り付けるための例えば信号機などの特殊画像を特殊画像識別情報とともに蓄積している。そして、特殊画像選択表示手段３７は、歩行ルートの各桝目の両側壁、通路、天井のそれぞれに設定された任意の画像に貼り付けるための例えば信号機などの任意の特殊画像をユーザが携帯端末１のディスプレイ１ａ上で入力手段により選択し得るように各特殊画像を各特殊画像識別情報とともに特殊画像蓄積手段３９から読み出して携帯端末１のディスプレイ１ａに表示する。
【００６６】
そして、特殊画像選択蓄積制御手段４１は、上述したように携帯端末１のディスプレイ１ａに表示された例えば信号機などの特殊画像を歩行ルートの各桝目の両側壁、通路、天井のそれぞれに選択的に設定するように携帯端末１の入力手段を用いて該当する特殊画像識別情報で選択し、この選択した特殊画像が歩行ルートのウォークスルー時に携帯端末１のディスプレイ１ａに歩行ルートの立体画像上に表示し得るように各特殊画像の特殊画像識別情報を歩行ルートの各桝目の両側壁、通路、天井のそれぞれに対応して特殊画像設定蓄積手段４３に蓄積するようになっている。この結果、歩行ルートの任意の画像上に例えば信号機などの特殊画像を表示することができる。
【００６７】
次に、図３〜図５を参照して、歩行ルートの作成方法について詳細に説明する。
【００６８】
まず、携帯端末１に内蔵された三次元簡易作成装置１０の桝目表示手段１１による携帯端末１のディスプレイ１ａ上に図３（ａ）に示すような複数の桝目からなる桝目画像１０１Ａが表示される。この桝目画像１０１Ａの周辺は、斜線で示すように異なる色で表示され、この周辺部分にある１つの桝目内にスタートポイントＳがスタートポイント設定手段１３により表示され、この斜線で示す周辺部分にスタートポイントＳを設定するように指示される。なお、この周辺部分のうちでも四隅にはスタートポイントＳを設定することはできない。
【００６９】
このスタートポイントＳは、スタートポイント設定手段１３の制御により携帯端末１の入力手段の例えば矢印キーまたは数字の２，８，４，６などにより同図において矢印で示すように上下左右の方向に移動でき、これによりスタートポイントＳを斜線で示す周辺部分の任意の桝目に設定することができる。任意の桝目にスタートポイントＳを移動して設定した場合には、このスタートポイントＳを確定するために携帯端末１の入力手段のＳｅｌｅｃｔボタンまたは数字の５などを操作して確定する。
【００７０】
スタートポイントＳが設定されると、次に、図３（ｂ）に示すように、エンドポイント設定手段１５によりエンドポイントＥが桝目画像１０１Ｂ上に設定される。このエンドポイント設定手段１５によるエンドポイントＥの設定もスタートポイントＳと同様に斜線で示す周辺部分の任意の桝目に対して行われる。
【００７１】
上述したように、スタートポイントＳおよびエンドポイントＥが設定されると、次に、図３（ｃ）に示す桝目画像１０１Ｃ上において歩行ルート設定手段１７によりスタートポイントＳからエンドポイントＥに至る歩行ルートを設定することになる。この歩行ルートの設定では、まず携帯端末１の入力手段の上下左右の方向指示を行う矢印キーなどを用いて、スタートポイントＳから１桝目ずつ所望の方向にカーソルなどを移動してから確定ボタンで確定するという動作をエンドポイントＥに至るまで逐次繰り返すことにより、図３（ｃ）において数字（１）〜（１７）で示すようにスタートポイントＳからエンドポイントＥに至る歩行ルートが斜線で示すように歩行ルート設定手段１７により設定される。なお、この場合の歩行ルートを形成する各桝目同士の接点は上下左右で最大２面であり、また歩行ルートを構成する桝目の最大数も所定の値に設定されているものである。更に、このように形成される歩行ルートは、同図に示すようにスタートポイントＳからエンドポイントＥに至る１本のみでなく、例えば途中で分岐し、それからまた結合するなどのことも可能なものである。
【００７２】
以上のようにして、スタートポイントＳからエンドポイントＥに至る歩行ルートが設定されると、次に、この歩行ルートには両側面、下面、上面に対応する両側壁、通路、天井があるので、これらの両側壁、通路、天井のそれぞれに設定する写真などの画像を画像選択表示手段２１および設定画像選択蓄積制御手段２３により画像蓄積手段１９および設定画像蓄積手段２５を参照してそれぞれ決定することになる。
【００７３】
そこで、歩行ルートの両側壁、通路、天井のそれぞれに貼り付ける画像である例えば写真が画像選択表示手段２１の制御により画像蓄積手段１９から読み出され、携帯端末１のディスプレイ１ａ上に図４（ａ）に示すように一覧し得るように画像識別情報である（１）〜（１５）の画像識別番号とともに縮小して表示される。なお、この縮小された各画像は携帯端末１の入力手段の操作により適宜拡大することが可能である。また、更に別の画像を読み出して表示することも可能である。
【００７４】
図４（ａ）に示すように、歩行ルートの両側壁、通路、天井に貼り付ける複数の画像がディスプレイ１ａに表示されると、次にまず歩行ルートの両側壁、通路、天井のうちの両側壁に貼り付ける画像を選択するために、携帯端末１の入力手段から両側壁であることを特定することにより、図４（ｂ）に桝目画像１０１Ｄとして示すように、歩行ルートの両側に両側壁を示す表示が行われるので、この表示された両側壁の桝目のうちの所望の桝目に携帯端末１の入力手段である矢印キーなどによりカーソルなどを移動し、この桝目のところで図４（ａ）に表示された画像の画像識別番号を選択して入力する。図４（ｂ）では、画像識別番号として（１），（２），（３）が両側壁を表す所望の桝目に対して入力されて設定されたことが示されている。
【００７５】
このように両側壁を示す桝目に対して所望の画像識別番号が入力されると、この入力された画像識別番号は設定画像選択蓄積制御手段２３に通知され、設定画像選択蓄積制御手段２３は、これらの画像識別番号を両側壁の桝目位置を示す情報に対応して設定画像蓄積手段２５に蓄積する。なお、上述したように画像識別番号を選択して入力された桝目以外の画像識別番号を入力されなかった両側壁の桝目には、予めデフォルトされている画像識別番号が設定画像選択蓄積制御手段２３により自動的に設定され、その画像が自動的に表示されることになっているが、上述した方法と同じ方法で両側壁を示す各桝目を１つ１つ指定し、この各桝目にそれぞれ画像識別番号を１つ１つ選択し、画像を割り付けるようにしてもよいものである。
【００７６】
上述した処理の結果、歩行ルートの両側のすべての側壁には画像識別番号が設定されて設定画像蓄積手段２５に蓄積され、歩行ルートが完成した後、ユーザが歩行ルートをウォークスルーすると、設定画像蓄積手段２５に蓄積された画像識別番号で指定される各画像が歩行ルートの両側壁に表示されることになる。
【００７７】
次に、歩行ルートの下面である通路のそれぞれに画像を設定するために、携帯端末１の入力手段で通路を指定すると、歩行ルートの各通路の画像を設定するための桝目画像１０１Ｅが図５（ａ）に示すように表示されるので、このように表示された歩行ルートの通路を示す各桝目上に上述した両側壁に対する画像の設定と同様に、画像を貼り付けたい通路の桝目上にカーソルを移動させ、この桝目上で図４（ａ）に示した画像の中から所望の画像の画像識別番号を選択して入力すると、この桝目上に図５（ａ）に示すように歩行ルートの通路を示す桝目上に画像識別番号が設定表示される。なお、図５（ａ）では、画像識別番号として（１），（２），（３）が通路を示す桝目に対して入力されて設定されたことが示されている。
【００７８】
このように通路を示す桝目に対して所望の画像識別番号が入力されると、この入力された画像識別番号は設定画像選択蓄積制御手段２３に通知され、設定画像選択蓄積制御手段２３は、これらの画像識別番号を通路の桝目位置を示す情報に対応して設定画像蓄積手段２５に蓄積する。なお、上述したように画像識別番号を選択して入力された桝目以外の画像識別番号を入力されなかった通路の桝目には、予めデフォルトされている画像識別番号が設定画像選択蓄積制御手段２３により自動的に設定され、その画像が自動的に表示されることになっているが、上述した方法と同じ方法で通路を示す各桝目を１つ１つ指定し、この各桝目にそれぞれ画像識別番号を１つ１つ選択し、画像を割り付けるようにしてもよいものである。
【００７９】
次に、歩行ルートの上面である天井のそれぞれに画像を設定するために、携帯端末１の入力手段で天井を指定すると、歩行ルートの各天井の画像を設定するための桝目画像１０１Ｆが図５（ｂ）に示すように表示されるので、このように表示された歩行ルートの通路を示す各桝目上に上述した通路に対する画像の設定と同様に、画像を貼り付けたい天井の桝目上にカーソルを移動させ、この桝目上で図４（ａ）に示した画像の中から所望の画像の画像識別番号を選択して入力すると、この桝目上に図５（ｂ）に示すように歩行ルートの天井を示す桝目に画像識別番号が設定表示される。なお、図５（ｂ）では、画像識別番号として（１），（２），（３）が天井を示す桝目に対して入力されて設定されたことが示されている。
【００８０】
このように天井を示す桝目に対して所望の画像識別番号が入力されると、この入力された画像識別番号は設定画像選択蓄積制御手段２３に通知され、設定画像選択蓄積制御手段２３は、これらの画像識別番号を天井の桝目位置を示す情報に対応して設定画像蓄積手段２５に蓄積する。なお、上述したように画像識別番号を選択して入力された桝目以外の画像識別番号を入力されなかった天井の桝目には、予めデフォルトされている画像識別番号が設定画像選択蓄積制御手段２３により自動的に設定され、その画像が自動的に表示されることになっているが、上述した方法と同じ方法で天井を示す各桝目を１つ１つ指定し、この各桝目にそれぞれ画像識別番号を１つ１つ選択し、画像を割り付けるようにしてもよいものである。
【００８１】
上述したように、歩行ルートの両側壁、通路、天井のそれぞれに対して画像識別番号を設定して設定画像蓄積手段２５に蓄積すると、歩行ルートが完成した後、ユーザが歩行ルートをウォークスルーすると、設定画像蓄積手段２５に蓄積された画像識別番号で指定される各画像が歩行ルートの両側壁、通路、天井のそれぞれにユーザのウォークスルー動作に従って順次立体的に表示されることになる。
【００８２】
上述したように歩行ルートの両側壁、通路、天井のそれぞれに設定された画像のうちの任意の画像を指定し、この画像に対して、例えば情報、具体的には画像に対する説明文などの情報を携帯端末１の入力手段から入力すると、この入力された情報は情報入力蓄積制御手段２９の制御により情報蓄積手段２７に蓄積される。この結果、ユーザが歩行ルートをウォークスルーすると、この情報を入力された画像が出現した場面において例えば図１の画像イメージ１０３，１０３ａなどで示すように画像の下側に該情報が表示されることになる。
【００８３】
この情報としては、例えばＵＲＬまたは電話番号を含む特定情報を通信設定接続手段３１の制御により携帯端末１の入力手段から選択的に設定することができ、この設定された特定情報がユーザの歩行ルートのウォークスルー時に該当する画像とともに表示された場合に該特定情報を携帯端末１の入力手段からユーザがクリックなどで指定することにより該特定情報で指定されるＵＲＬまたは電話番号の相手先に無線回線、無線基地局を介して接続されることになる。
【００８４】
また、前記情報として質問情報および該質問情報に対するＹＥＳ，ＮＯなどの肯定情報または否定情報を含む問合せ情報を質問情報設定ジャンプ手段３３の制御により携帯端末１の入力手段から選択的に設定することができ、この設定された問合せ情報がユーザの歩行ルートのウォークスルー時に該当する画像とともに表示された場合に質問情報に対する回答として肯定情報または否定情報を携帯端末１の入力手段から選択的にクリックなどで指定することにより、この選択的に指定された内容に応じて歩行ルート上の任意の桝目にジャンプすることも可能である。
【００８５】
更に、前記情報として、例えば信号機などの特殊画像を任意の画像上に表示することも可能である。具体的には、歩行ルートの各桝目の両側壁、通路、天井のそれぞれに設定された任意の画像に対して貼り付けるための特殊画像を特殊画像識別情報とともに特殊画像蓄積手段３９に蓄積しておく。そして、特殊画像選択表示手段３７は、特殊画像蓄積手段３９から各特殊画像をその特殊画像識別情報とともに読み出して携帯端末１のディスプレイ１ａに表示し、歩行ルートの各桝目の両側壁、通路、天井のそれぞれに設定された任意の画像に貼り付けるための所望の特殊画像を携帯端末１の入力手段から選択できるようにする。
【００８６】
この表示された特殊画像を本三次元簡易作成装置の使用者が閲覧し、歩行ルートの各桝目の両側壁、通路、天井のそれぞれに選択的に設定するための特殊画像を特殊画像識別情報で選択すると、特殊画像選択蓄積制御手段４１は、この選択された特殊画像が歩行ルートのウォークスルー時に携帯端末１のディスプレイ１ａに歩行ルートの立体画像として表示し得るように前記選択された特殊画像の特殊画像識別情報を歩行ルートの各桝目の両側壁、通路、天井のそれぞれに対応して特殊画像設定蓄積手段４３に蓄積する。この結果、ユーザが歩行ルートをウォークスルーすると、該当する画像に前記選択した例えば信号機などの特殊画像が表示されることになる。
【００８７】
なお、上記実施形態の携帯端末での三次元簡易作成方法の処理手順をプログラムとして記録媒体に記録して、この記録媒体をコンピュータシステムに組み込むとともに、該記録媒体に記録されたプログラムをコンピュータシステムにダウンロードまたはインストールし、該プログラムでコンピュータシステムを作動させることにより、データベースアクセス制御方法を実施する装置として機能させることができることは勿論であり、このような記録媒体を用いることにより、その流通性を高めることができるものである。
【００８８】
【発明の効果】
以上説明したように、本発明によれば、携帯端末のディスプレイに歩行ルートを立体的に描いた三次元画像の歩行ルートを作成し、この三次元画像の歩行ルートをウォークスルーすることにより歩行ルート上の三次元画像を立体的に閲覧でき、また歩行ルートの任意の各ポイントに情報を設定し得る三次元画像を簡易に作成することができる。
【００８９】
また、本発明によれば、ＵＲＬまたは電話番号を含む特定情報を歩行ルートの任意の画像に設定し、この特定情報で指定される相手先に通信回線を介して接続することができる。
【００９０】
更に、本発明によれば、質問情報および該質問情報に対する肯定情報および否定情報を含む問合せ情報を歩行ルートの任意の画像に設定し、質問情報に対する回答として肯定情報または否定情報を携帯端末の入力手段から選択的に指定することにより、この選択的に指定された内容に応じて歩行ルート上の任意の桝目にジャンプすることができる。
【００９１】
本発明によれば、例えば信号機などのような特殊画像を歩行ルートの任意の画像に設定し、この設定した特殊画像を歩行ルートのウォークスルー時に携帯端末のディスプレイの歩行ルートの立体画像上に表示することができる。
【００９２】
また、本発明によれば、歩行ルートを含む複数の桝目に複数の組を設け、この複数の組を互いに連結し、複数の組を連結した大きな歩行ルートを作成することができる。
【図面の簡単な説明】
【図１】本発明の一実施形態に係る携帯端末での三次元簡易作成方法を説明するための図である。
【図２】図１に示す実施形態の三次元簡易作成方法を実施する三次元簡易作成装置の構成を示すブロック図である。
【図３】図１、図２に示す三次元簡易作成装置におけるスタートポイントＳ、エンドポイントＥおよび歩行ルートを設定するための説明図である。
【図４】図１、図２に示す三次元簡易作成装置における歩行ルートの側壁に対する画像を設定するための説明図である。
【図５】図１、図２に示す三次元簡易作成装置における歩行ルートの通路および天井に対する画像を設定するための説明図である。
【図６】図１、図２に示す三次元簡易作成装置において歩行ルートを含む複数の桝目を複数の組連結した図である。
【符号の説明】
１  携帯端末
１ａ  ディスプレイ
１１  桝目表示手段
１３  スタートポイント設定手段
１５  エンドポイント設定手段
１７  歩行ルート設定手段
１９  画像蓄積手段
２１  画像選択表示手段
２３  設定画像選択蓄積制御手段
２５  設定画像蓄積手段
２７  情報蓄積手段
２９  情報入力蓄積制御手段
３１  通信設定接続手段
３３  質問情報設定ジャンプ手段
３５  連結手段
３７  特殊画像選択表示手段
３９  特殊画像蓄積手段
４１  特殊画像選択蓄積制御手段
４３  特殊画像設定蓄積手段
【図１】
0003648209.tif 000002
【図２】
0003648209.tif 000003
【図３】
0003648209.tif 000004
【図４】
0003648209.tif 000005
【図５】
0003648209.tif 000006
【図６】
0003648209.tif 000007